(57)【要約】【課題】ネットワーク上での画像共有を促進することが可能な装置及び方法を提供する。【解決手段】販売部１３は受信した購入者ＩＤと画像の識別情報と予め規定されたその画像の販売料金とを対応づけて販売テーブル３０ｂに記憶する。利益還元部１４は販売テーブル３０ｂの販売履歴情報に基づいて画像をアップロードした第１ユーザに還元する利益である還元利益を算出する。還元利益の算出方法は特に限定されず、例えば各画像の販売料金に所定の還元利益率（１割など）を乗じた額を還元利益とする。あるいは、各画像の販売総数に所定の還元利益の単価（１０円など）を乗じた額を、その画像をアップロードした第１ユーザの還元利益とする。利益還元部１４は各画像ごとに還元利益を算出し、算出した画像の還元利益とその画像をアップロードした第１ユーザの提供者ＩＤとを対応づけて還元テーブル３０ｃに記憶する。【選択図】  図３
2006085590.tif 000002
【特許請求の範囲】
【請求項１】
ユーザ識別情報で識別される第１端末からネットワークを介して画像のアップロードを受け付けるアップロード受付部と、
前記アップロードされた画像と前記ユーザ識別情報とを対応づけて記憶する画像記憶部と、
前記画像記憶部に記憶された画像の中から写真プリント用の画像の指定及び前記指定された画像の写真プリントの購入をネットワークを介して接続された第２端末から受け付ける販売部と、
前記指定された画像と前記指定された画像をアップロードした第１端末を識別するユーザ識別情報とを対応づけた販売履歴情報を記憶する販売履歴記憶部と、
前記販売履歴情報に基づいて前記写真プリント用に指定された画像に対応するユーザ識別情報で識別される第１端末のユーザに還元する利益を算出する利益還元部と、
を備える画像共有装置。
【請求項２】
グループに属する複数のメンバーを識別するメンバー識別情報と前記グループの主催者を識別する主催者識別情報とを対応づけたグループ情報を記憶するグループ記憶部と、
前記メンバー識別情報で識別される第１端末からネットワークを介して画像のアップロードを受け付けるアップロード受付部と、
前記アップロードされた画像と前記第１端末を識別するメンバー識別情報とを対応づけて記憶する画像記憶部と、
前記画像記憶部に記憶された画像の中から写真プリント用の画像の指定及び前記指定された画像の写真プリントの購入をネットワークを介して接続されかつ前記メンバー識別情報で識別される第２端末から受け付ける販売部と、
前記指定された画像と前記指定された画像をアップロードした第１端末を識別するメンバー識別情報とを対応づけた販売履歴情報を記憶する販売履歴記憶部と、
前記販売履歴情報及び前記グループ情報に基づいて前記写真プリント用に指定された画像をアップロードした第１端末を識別するメンバー識別情報に対応する主催者識別情報で識別される主催者に還元する利益を算出する利益還元部と、
を備える画像共有装置。
【請求項３】
ユーザ識別情報で識別される第１端末からネットワークを介して画像のアップロードを受け付けるアップロード受付ステップと、
前記アップロードされた画像と前記ユーザ識別情報とを対応づけて記憶する画像記憶ステップと、
前記画像記憶ステップで記憶された画像の中から写真プリント用の画像の指定及び前記指定された画像の写真プリントの購入をネットワークを介して接続された第２端末から受け付ける販売ステップと、
前記指定された画像と前記指定された画像をアップロードした第１端末を識別するユーザ識別情報とを対応づけた販売履歴情報を記憶する販売履歴記憶ステップと、
前記販売履歴情報に基づいて前記写真プリント用に指定された画像に対応するユーザ識別情報で識別される第１端末のユーザに還元する利益を算出する利益還元ステップと、
を含む画像共有方法。
【請求項４】
グループに属する複数のメンバーを識別するメンバー識別情報と前記グループの主催者を識別する主催者識別情報とを対応づけたグループ情報を記憶するグループ記憶ステップと、
前記メンバー識別情報で識別される第１端末からネットワークを介して画像のアップロードを受け付けるアップロード受付ステップと、
前記アップロードされた画像と前記第１端末を識別するメンバー識別情報とを対応づけて記憶する画像記憶ステップと、
前記画像記憶ステップで記憶された画像の中から写真プリント用の画像の指定及び前記指定された画像の写真プリントの購入をネットワークを介して接続されかつ前記メンバー識別情報で識別される第２端末から受け付ける販売ステップと、
前記指定された画像と前記指定された画像をアップロードした第１端末を識別するメンバー識別情報とを対応づけた販売履歴情報を記憶する販売履歴記憶ステップと、
前記販売履歴情報及び前記グループ情報に基づいて前記写真プリント用に指定された画像をアップロードした第１端末を識別するメンバー識別情報に対応する主催者識別情報で識別される主催者に還元する利益を算出する利益還元ステップと、
を含む画像共有方法。
【発明の詳細な説明】
【技術分野】
【０００１】
本発明は画像共有装置及び画像共有方法に係り、特にネットワーク上で画像を共有させる装置及び方法に関する。
【背景技術】
【０００２】
従来、ネットワーク上で画像データの共有を行なうための技術が様々開発されている。例えば、特許文献１の画像提供システムによると、自己の電子機器固有の識別情報を記録する記録手段と、他の電子機器固有の識別情報を取得する取得手段と、前記記録されている自己の電子機器固有の識別情報と前記取得した他の電子機器固有の識別情報とを用いてネットワーク上の所定のサイトを指定するサイトアドレスを作成するサイトアドレス作成手段と、前記サイトアドレスを他の電子機器に出力する出力手段とを備えたので、画像を共有する画像共有サーバの固有のサイトアドレスを容易に自動で作成することが可能となる。
【特許文献１】特開２００２−２５９３３２公報
【発明の開示】
【発明が解決しようとする課題】
【０００３】
ところで、インターネットなどのネットワーク上で共有する画像が個人のアップロードする画像である場合、いかにして個人から多くの画像をアップロードさせるかが重要となる。この点、特許文献１の画像提供システムでは、単に画像を共有する画像共有サーバの固有のサイトアドレスを作成するだけであり、画像共有の誘因をいかに生み出すかについて何ら開示されていない。本発明はこのような問題点に鑑みてなされたもので、ネットワーク上での画像共有を促進することが可能な装置及び方法を提供することを目的とする。
【課題を解決するための手段】
【０００４】
上述の課題を解決するため、本願発明に係る画像共有装置は、ユーザ識別情報で識別される第１端末からネットワークを介して画像のアップロードを受け付けるアップロード受付部と、前記アップロードされた画像と前記ユーザ識別情報とを対応づけて記憶する画像記憶部と、前記画像記憶部に記憶された画像の中から写真プリント用の画像の指定及び前記指定された画像の写真プリントの購入をネットワークを介して接続された第２端末から受け付ける販売部と、前記指定された画像と前記指定された画像をアップロードした第１端末を識別するユーザ識別情報とを対応づけた販売履歴情報を記憶する販売履歴記憶部と、前記販売履歴情報に基づいて前記写真プリント用に指定された画像に対応するユーザ識別情報で識別される第１端末のユーザに還元する利益を算出する利益還元部と、を備える。
【０００５】
この発明によると、第１端末からアップロードした画像を、第２端末から写真プリント用の画像に指定して購入すると、写真プリント用に指定した画像とその画像のアップロード元を示す販売履歴情報に基づいて写真プリント用に指定された画像をアップロードした第１端末のユーザに還元する利益が算出される。算出した還元利益を電子決済などの所定の方法によって第１端末のユーザに還元すれば、これが第１端末から画像がアップロードされるインセンティブとなり、第１端末と第２端末の間での画像共有が促進される。
【０００６】
また、上述の課題を解決するため、本願発明に係る画像共有装置は、グループに属する複数のメンバーを識別するメンバー識別情報と前記グループの主催者を識別する主催者識別情報とを対応づけたグループ情報を記憶するグループ記憶部と、前記メンバー識別情報で識別される第１端末からネットワークを介して画像のアップロードを受け付けるアップロード受付部と、前記アップロードされた画像と前記第１端末を識別するメンバー識別情報とを対応づけて記憶する画像記憶部と、前記画像記憶部に記憶された画像の中から写真プリント用の画像の指定及び前記指定された画像の写真プリントの購入をネットワークを介して接続されかつ前記メンバー識別情報で識別される第２端末から受け付ける販売部と、前記指定された画像と前記指定された画像をアップロードした第１端末を識別するメンバー識別情報とを対応づけた販売履歴情報を記憶する販売履歴記憶部と、前記販売履歴情報及び前記グループ情報に基づいて前記写真プリント用に指定された画像をアップロードした第１端末を識別するメンバー識別情報に対応する主催者識別情報で識別される主催者に還元する利益を算出する利益還元部と、を備える。
【０００７】
この発明によると、グループのメンバーの識別情報とそのグループのとりまとめを行う主催者の識別情報とを対応づけて記憶することでグループのメンバーと主催者の関係を定める。メンバーの識別情報で識別される第１端末からアップロードした画像を、メンバーの識別情報で識別される第２端末から写真プリント用の画像に指定して購入すると、写真プリント用に指定した画像とその画像のアップロード元を示す販売履歴情報に基づいて写真プリント用に指定された画像をアップロードした第１端末の識別情報に対応するグループの主催者に還元する利益が算出される。算出した還元利益を電子決済などの所定の方法によってグループの主催者に還元すれば、主催者は自分のとりまとめるグループ内の画像アップロードとその画像の写真プリント購入をグループのメンバーにいっそう働きかけるようになることが期待され、グループ内での画像共有が促進される。
【０００８】
また、上述の課題を解決するため、本願発明に係る画像共有方法は、ユーザ識別情報で識別される第１端末からネットワークを介して画像のアップロードを受け付けるアップロード受付ステップと、前記アップロードされた画像と前記ユーザ識別情報とを対応づけて記憶する画像記憶ステップと、前記画像記憶ステップで記憶された画像の中から写真プリント用の画像の指定及び前記指定された画像の写真プリントの購入をネットワークを介して接続された第２端末から受け付ける販売ステップと、前記指定された画像と前記指定された画像をアップロードした第１端末を識別するユーザ識別情報とを対応づけた販売履歴情報を記憶する販売履歴記憶ステップと、前記販売履歴情報に基づいて前記写真プリント用に指定された画像に対応するユーザ識別情報で識別される第１端末のユーザに還元する利益を算出する利益還元ステップと、を含む。
【０００９】
また、上述の課題を解決するため、本願発明に係る画像共有方法は、グループに属する複数のメンバーを識別するメンバー識別情報と前記グループの主催者を識別する主催者識別情報とを対応づけたグループ情報を記憶するグループ記憶ステップと、前記メンバー識別情報で識別される第１端末からネットワークを介して画像のアップロードを受け付けるアップロード受付ステップと、前記アップロードされた画像と前記第１端末を識別するメンバー識別情報とを対応づけて記憶する画像記憶ステップと、前記画像記憶ステップで記憶された画像の中から写真プリント用の画像の指定及び前記指定された画像の写真プリントの購入をネットワークを介して接続されかつ前記メンバー識別情報で識別される第２端末から受け付ける販売ステップと、前記指定された画像と前記指定された画像をアップロードした第１端末を識別するメンバー識別情報とを対応づけた販売履歴情報を記憶する販売履歴記憶ステップと、前記販売履歴情報及び前記グループ情報に基づいて前記写真プリント用に指定された画像をアップロードした第１端末を識別するメンバー識別情報に対応する主催者識別情報で識別される主催者に還元する利益を算出する利益還元ステップと、を含む。
【００１０】
この画像共有方法は、上述の画像共有装置と同様の作用効果を奏する。
【発明の効果】
【００１１】
本願発明に係る画像共有装置及びの画像共有方法によって算出した還元利益を電子決済などの所定の方法によって第１端末のユーザに還元すれば、第１端末からすすんで画像がアップロードされるようになり、第１端末と第２端末の間での画像流通が促進される。
【００１２】
あるいは、本願発明に係る画像共有装置及びの画像共有方法によって算出した還元利益を電子決済などの所定の方法によってグループの主催者に還元すれば、主催者は自分のとりまとめるグループ内の画像アップロードとその画像の写真プリント購入をグループのメンバーにいっそう働きかけるようになることが期待され、第１端末と第２端末の間での画像流通が促進される。
【発明を実施するための最良の形態】
【００１３】
以下、添付した図面を参照し本発明の好ましい実施の形態を説明する。
【００１４】
＜第１実施形態＞
［概略構成］
図１は本発明の好ましい第１の実施形態に係る画像共有システムの概略機能構成図である。このシステムは、第１ユーザ端末１００、第２ユーザ端末２００、画像共有装置３００がネットワーク５を介して接続されて構成される。この図では、第１ユーザ端末１００及び第２ユーザ端末２００は１つずつしか図示していないが、複数の第１ユーザ端末１００及び複数の第２ユーザ端末２００をネットワーク５に接続する態様も可能である。
【００１５】
このシステムの利用方法について概説すると、第１ユーザ端末１００のユーザである第１ユーザは、第１ユーザ端末１００のＷｅｂブラウザ１１から任意の画像を画像共有装置３００にアップロードすることが可能であり、画像共有装置１００にアップロードした画像は第２ユーザ端末２００のＷｅｂブラウザ２１で閲覧が可能である。第２ユーザ端末２００のユーザである第２ユーザは、閲覧した画像の中で気に入った画像があれば第２ユーザ端末２００からそれを写真プリント用の画像に指定してその画像の写真プリントの購入申し込みを行うことができる。第１ユーザ端末１００と第２ユーザ端末２００とはハードウェア的に同等であってよい。第２ユーザ端末２００から画像をアップロードし、第１ユーザ端末１００からその画像の購入を申し込んでもよい。指定された画像はプリンタ４００で写真プリントとして印画され、第２ユーザの手元に配送される。写真プリント用に指定された画像が複数の場合は適宜フォトアルバムとして製本してもよい。
【００１６】
なお、本実施形態において、第１ユーザと第２ユーザの間には特別の人的関係があってよいし、全くの他人同士でもよい。例えば、第１ユーザと第２ユーザは友人同士などであってもよい。第１ユーザと第２ユーザには、それぞれ固有のユーザＩＤが付与されており、画像共有装置３００は、ユーザＩＤにより画像をアップロードした第１端末１００や画像の購入を申し込んだ第２端末２００を識別する。
【００１７】
画像共有装置１００は、ＷＷＷサーバ１０、処理部２０、管理データベース（管理ＤＢ）３０を備えている。ＷＷＷサーバ１０は、ネットワーク５を介してアクセスしてきた第２ユーザ端末２００に画像を閲覧させるＷｅｂページなど各種のＷｅｂページを送信する。処理部２０はＣＰＵ及び各種半導体記憶媒体からなる処理手段である。処理部２０は、ＣＰＵの実行する処理プログラムとしてアップロード受付部１２、販売部１３、利益還元部１４を半導体記憶媒体に記憶している。
【００１８】
図２は管理ＤＢ３０に記憶される情報の概念説明図である。この図に示すように、管理ＤＢ３０には画像テーブル３０ａ、販売テーブル３０ｂ及び還元テーブル３０ｃが記憶される。図２（ａ）は画像テーブル３０ａに記憶される情報を示している。画像テーブル３０ａには、第１ユーザに付与されたユーザＩＤである提供者ＩＤとその提供者ＩＤで識別される第１端末１００からアップロードした画像の識別情報（ファイル名など）とが対応して記憶されている。図２（ｂ）は販売テーブル３０ｂに記憶される情報を示している。販売テーブル３０ｂには、第２ユーザに付与されたユーザＩＤである購入者ＩＤと、その購入者ＩＤで識別される第２ユーザが購入を申し込んだ画像の識別情報と、その画像の販売料金とが対応づけられた販売履歴情報が記憶されている。画像の販売料金の設定の仕方は特に限定されず、この図では１つの画像当たりの販売料金を一律１５０円としている。図２（ｃ）は還元テーブル３０ｃに記憶される情報を示している。還元テーブル３０ｃには、購入の申し込まれた画像とその画像をアップロードした第１ユーザの提供者ＩＤとが対応して記憶されている。
【００１９】
［処理の流れ］
以下、図３のフローチャートを参照し、画像共有システムで実行される画像販売処理の流れを説明する。この処理は、画像のアップロードを受け付け、画像購入の申し込みを受け付けると、販売した画像の販売利益を第１ユーザに還元する。
【００２０】
Ｓ１では、第１ユーザ端末１００はＷｅｂブラウザ１１によって画像アップロードサイトを有するＷＷＷサーバ１０にアクセスし、第１ユーザ端末１００に記憶された任意の画像を選択して、別途Ｗｅｂブラウザ１１に入力された第１ユーザ固有の提供者ＩＤと選択した画像を画像共有装置３００に送信（アップロード）する。アップロードする画像は単数でも複数でもよい。Ｓ２では、画像共有装置３００のアップロード受付部１２は、第１ユーザ端末１００から受信した画像と提供者ＩＤとを対応づけて管理ＤＢ３０の画像テーブル３０ａに記憶する。
【００２１】
Ｓ３では、第２ユーザ端末２００のＷｅｂブラウザ２１によって管理ＤＢ３０の画像の閲覧及び購入の申し込みを行うサイトを有するＷＷＷサーバ１０にアクセス要求を送信する。Ｓ４では、ＷＷＷサーバ１０がこのアクセス要求を受信すると、画像テーブル３０ａに記憶されている画像の閲覧及び購入の申し込みを受け付けるＷｅｂページである閲覧購入ページを第２ユーザ端末２００に送信する。図４は、Ｗｅｂブラウザ２１に表示される閲覧購入ページの表示例である。閲覧購入ページには、画像テーブル３０ａに記憶された画像を所定の縮小率で縮小したサムネイル画像Ｔｎ（ｎ＝１，２．．）が表示されており、各サムネイル画像Ｔｎの上には購入を申し込む画像を指定するチェックボックスが表示されている。なお、サムネイル画像Ｔｎを選択すると、その画像そのものを表示するＷｅｂページをＷＷＷサーバ１０から第２ユーザ端末２００に送信してもよい。
【００２２】
Ｓ５では、Ｗｅｂブラウザ２１に表示される閲覧購入ページのチェックボックスによって購入する画像の指定を受け付ける。Ｓ６では、チェックボックスによる画像の指定後、閲覧購入ページの「購入」ボタンが押下されたか否かを判断し、「購入」ボタンが押下された場合は、Ｓ７に移行する。Ｓ７では、Ｗｅｂブラウザ２１に別途入力された第２ユーザに固有の購入者ＩＤと指定された画像の識別情報（例えばA1.jpgなど画像のファイル名）とが第２ユーザ端末２００から画像共有装置３００に送信される。
【００２３】
Ｓ８では、販売部１３は受信した購入者ＩＤと画像の識別情報と予め規定されたその画像の販売料金とを対応づけて販売テーブル３０ｂに記憶する。Ｓ９では、利益還元部１４は販売テーブル３０ｂの販売履歴情報に基づいて画像をアップロードした第１ユーザに還元する利益である還元利益を算出する。還元利益の算出方法は特に限定されず、例えば各画像の販売料金に所定の還元利益率（１割など）を乗じた額を還元利益とする。あるいは、各画像の販売総数に所定の還元利益の単価（１０円など）を乗じた額を、その画像をアップロードした第１ユーザの還元利益とする。利益還元部１４は各画像ごとに還元利益を算出し、算出した画像の還元利益とその画像をアップロードした第１ユーザの提供者ＩＤとを対応づけて還元テーブル３０ｃに記憶する。
【００２４】
利益還元部１４は、還元テーブルに基づき、還元利益を標章するデータを第１ユーザ端末１００に送信する。還元利益を標章するデータとは、例えば還元利益相当額のクーポン券の印刷用データである。あるいは、利益還元部１４は、第１ユーザの銀行口座に還元利益相当額を電子決済により振り込んでもよい。
【００２５】
以上説明した通り、第１ユーザのアップロードした画像が第２ユーザにより購入されると、利益還元部１４が第１ユーザに還元する利益を算出する。この利益を所定の方法で第１ユーザに還元すれば、第１ユーザはすすんで画像をアップロードするようになり、第１ユーザと第２ユーザの間での画像共有が促進される。
【００２６】
＜第２実施形態＞
第１実施形態においては、画像をアップロードしたユーザに対する還元利益を算出したが、ある特定のツアーを主催する旅行代理店、学園祭実行委員会などの学校行事の責任者、地域の祭りの主催者、イベントの主催者、サークルのＯＢ会の会長など、何らかの目的を持った私的なグループをとりまとめる者（以下、主催者で表す）に対する還元利益を算出してもよい。この場合、管理ＤＢ３０に記憶する情報の一部を図５のように変更する。即ち、ある団体旅行のメンバーなど、ひとまとまりのグループに属するメンバーである第１ユーザ及び第２ユーザに固有のメンバーＩＤを付与しておく。そして、図５（ａ）に示すように、旅行代理店などグループの主催者の識別情報である主催者ＩＤとそのグループのメンバーに付与されたメンバーＩＤとを対応づけたグループテーブル３０ｄを管理ＤＢ３０に記憶しておく。また、管理ＤＢ３０には、図５（ｂ）の還元テーブル３０ｅが、第１実施形態の還元テーブル３０ｃの代わりに記憶される。還元テーブル３０ｅでは、主催者ＩＤと還元利益とが対応づけられて記憶されているが、この還元利益は後述のように第１実施形態とは異なった方法で算出される。その他のシステム構成は第１実施形態と同様であるので説明を省略する。
【００２７】
主催者に利益を還元するには、図３の画像販売処理の一部を変更する必要がある。即ち、Ｓ９では、利益還元部１４は販売テーブル３０ｂとグループテーブル３０ｄに基づいて、プリント用に指定された画像をアップロードした第１ユーザ端末１００を識別するメンバーＩＤに対応する主催者ＩＤで識別される主催者に還元する利益を算出する。還元利益の算出方法は特に限定されず、例えば、あるグループに属する第１ユーザのアップロードした画像の販売料金に所定の還元率（１割など）を乗じた額を第１ユーザの属するグループごとに総計し、その総計額をそのグループの主催者の還元利益とする。販売部１３は主催者ＩＤとその主催者ＩＤで識別される主催者に還元する利益とを対応づけて還元テーブル３０ｅに記憶する。その他の処理ステップは第１実施形態と同様であるので省略する。
【００２８】
以上説明した通り、あるグループに属する第１ユーザのアップロードした画像が同じグループに属する第２ユーザにより購入されると、利益還元部１４がそのグループの主催者に還元する利益を算出する。この利益を所定の方法で主催者に還元すれば、主催者は自分のとりまとめるグループ内の画像共有をグループのメンバーにいっそう働きかけるようになる。
【図面の簡単な説明】
【００２９】
【図１】第１実施形態に係る画像共有システムのブロック構成図
【図２】第１実施形態に係る管理データベースに記憶される情報の概念説明図
【図３】画像販売処理の流れを示すフローチャート
【図４】閲覧購入ページの表示例を示す図
【図５】第２実施形態に係る管理データベースに記憶される情報の概念説明図
【符号の説明】
【００３０】
１００：第１ユーザ端末、２００：第２ユーザ端末、３００：画像共有装置
【図１】
2006085590.tif 000003
【図２】
2006085590.tif 000004
【図３】
2006085590.tif 000005
【図４】
2006085590.tif 000006
【図５】
2006085590.tif 000007